(57)【要約】      （修正有）【課題】日常のこまごました物を収納できると共に、ランプからの光を和らげることができ、光が幼児の目を直射するこを避けることができるスタンド型ランプを提供する。【解決手段】台座１を含め、その台座のトップに挿入部２を設置してあり、その挿入部にはロッドステント３が配置され、そのロッドステントのトップにはランプスタンド４を設置してあり、そのランプスタンドの中にランプホルダー５が配置され、そのランプスタンドの外周には三つ以上のスケルトンロッド６を設置してあり、その三つ以上のスケルトンロッドの間にはシェード７が配置され、そのシェードはそのランプホルダーをカバーする、そのロッドステントの上に可動スリーブ８を設置してあり、その可動スリーブの外輪にパレット９が設けられ、そのパレットのトップに第一シェード１０を設置してあり、その第一シェードの開口部が上向きである。【選択図】図１
0003206167.tif 000002
【実用新案登録請求の範囲】
【請求項１】
スタンド型ランプにおいて、
台座を含み、その台座のトップに挿入部を設置してあり、その挿入部にはロッドステントが配置され、そのロッドステントのトップにはランプスタンドを設置してあり、その台座の内部に回路板とバッテリを配置してあり、その回路板とそのランプスタンドの間にコードを配置してあり、そのコードがそのロッドステントの内部に貫通して挿入され、そのランプスタンドの中にランプホルダーが配置され、そのランプスタンドの外周には三つ以上のスケルトンロッドを設置してあり、その三つ以上のスケルトンロッドの間にはシェードが配置され、そのシェードはそのランプホルダーをカバーし、そのロッドステントの上に可動スリーブを設置してあり、その可動スリーブの外輪にパレットが設けられ、そのパレットのトップに第一シェードを設置してあり、その第一シェードの開口部が上向きであり、その可動スリーブの外輪には調整ボルトがあり、その台座の外部に回路板に繋げる電線が配置され、その回路板とその台座の間に押しボタンスイッチを設置してあり、その押しボタンスイッチの下側でその台座の上に予備電源ボタンを設置してあり、そのバッテリ、予備電源ボタンとランプスタンドを順番に通電して繋げ、そのロッドステントの上に音楽プレーヤーを設置してあり、その音楽プレーヤーはそのロッドステントの外周面を回るように設置してあり、そして固定され、その音楽プレーヤーのトップにはストップリングを設置してある
ことを特徴とするスタンド型ランプ。
【考案の詳細な説明】
【技術分野】
【０００１】
本実用新型は一種の改良型のスタンド型ランプに関する。
【背景技術】
【０００２】
スタンド型ランプは一種のよく見られる家庭用照明措置であるが、既存の技術では、スタンド型ランプの機能が単一、特に家族に妊娠中の女性が授乳する必要な場合、これらのスタンド型ランプの光の明るさが強いため、幼児の目に傷害をもたらす可能性がある。
【考案の概要】
【考案が解決しようとする課題】
【０００３】
本実用新型は解決する必要な問題は、一種の改良型のスタンド型ランプを提供すること、本措置は実際の使用の過程には第一シェードを通して日常のこまごました物を収納できる、妊娠中の女性は授乳する時に、第一シェードを上昇して、シェードと第一シェードの重ね合うこと通して、ランプからの光を和らげることができ、光が幼児の目を直射するこを避け、望ましい保護効果が利く、バッテリを通して、緊急な場合はすぐ停電し、或いは無電源の状況で使用、楽プレーヤーで緩やかでゆっくりしている音楽をプレーして赤ちゃんを慰める。
【課題を解決するための手段】
【０００４】
以上の問題を解決するために、本実用新型は以下の技術案を採用する。一種の改良型のスタンド型ランプ、その特徴は：台座を含め、その台座のトップに挿入部を設置してあり、その挿入部にはロッドステントが配置され、そのロッドステントのトップにはランプスタンドを設置してあり、その台座の内部に回路板とバッテリを配置してあり、その回路板とそのランプスタンドの間にコードを配置してあり、そのコードがそのロッドステントの内部に貫通して挿入され、そのランプスタンドの中にランプホルダーが配置され、そのランプスタンドの外周には三つ以上のスケルトンロッドを設置してあり、その三つ以上のスケルトンロッドの間にはシェードが配置され、そのシェードはそのランプホルダーをカバーする、そのロッドステントの上に可動スリーブを設置してあり、その可動スリーブの外輪にパレットが設けられ、そのパレットのトップに第一シェードを設置してあり、その第一シェードの開口部が上向きである、その可動スリーブの外輪には調整ボルトがあり、その台座の外部に回路板に繋げる電線が配置され、その回路板とその台座の間に押しボタンスイッチを設置してあり、その押しボタンスイッチ下側のその台座の上に予備電源ボタンを設置してあり、そのバッテリ、予備電源ボタンとランプスタンド順番に通電繋げる、その挿入部に近いそのロッドステントの上に音楽プレーヤーを設置してあり、その音楽プレーヤーはそのロッドステントの外周面を回って設置してあり、そして固定され、その音楽プレーヤーのトップにはストップリングを設置してある。
【０００５】
優秀な技術案として、その可動スリーブが限定位置までに移動した時、その第一シェードはそのシェードの外輪位置をカバーする。
【０００６】
優秀な技術案として、その台座の底部には滑り止めパッドがあり、その滑り止めパッドの厚さは&#20026;1mm-2mm、その滑り止めパッドとその台座の間にのり付けで固定する、その滑り止めパッドの下に滑り止め用の模様を付けている。
【０００７】
優秀な技術案として、そのパレットとその第一シェードの間に第一ボルトを設置してある。
【０００８】
優秀な技術案として、そのランプホルダーはLEDホルダーである。
【考案の効果】
【０００９】
本実用新型の有益な効果は：本措置は実際の使用の過程には第一シェードを通して日常のこまごました物を収納できる、妊娠中の女性は授乳する時に、第一シェードを上昇して、シェードと第一シェードの重ね合うこと通して、ランプからの光を和らげることができ、光が幼児の目を直射するこを避け、望ましい保護効果が利く、バッテリを通して、緊急な場合はすぐ停電し、或いは無電源の状況で使用、楽プレーヤーで緩やかでゆっくりしている音楽をプレーして赤ちゃんを慰める。本措置の構造が簡単で、コストが低い、普及することに相応しい。
【図面の簡単な説明】
【００１０】
【図１】本実用新型の構造見取り図。
【考案を実施するための形態】
【００１１】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１２】
図面１に示された一種の改良型のスタンド型ランプを参考してください、台座１を含め、その台座１のトップに挿入部２を設置してあり、その挿入部２にはロッドステン３トが配置され、そのロッドステント３のトップにはランプスタンド４を設置してあり、その台座１の内部に回路板（図面なし）とバッテリ101を配置してあり、その回路板とそのランプスタンド４の間にコード（図面なし）を配置してあり、そのコードがそのロッドステント３の内部に貫通して挿入され、そのランプスタンド４の中にランプホルダー５が配置され、そのランプスタンド４の外周には三つ以上のスケルトンロッド６を設置してあり、その三つ以上のスケルトンロッド６の間にはシェード７が配置され、そのシェード７はそのランプホルダー５をカバーする、そのロッドステント３の上に可動スリーブ８を設置してあり、その可動スリーブ８の外輪にパレット９が設けられ、そのパレット９のトップに第一シェード10を設置してあり、その第一シェード10の開口部が上向きである、その可動スリーブ８の外輪には調整ボルト11があり、その台座１の外部に回路板に繋げる電線12が配置され、その回路板とそのランプスタンド４の間に押しボタンスイッチ13を設置してあり、その押しボタンスイッチ13下側のその台座1の上に予備電源ボタン102を設置してあり、そのバッテリ101、予備電源ボタン102とランプスタンド4順番に通電繋げる、その挿入部２に近いそのロッドステント３の上に音楽プレーヤー301を設置してあり、その音楽プレーヤー301はそのロッドステント3の外周面を回って設置してあり、そして固定され、その音楽プレーヤー301のトップにはストップリング（図面なし）を設置してある。
【００１３】
本実用新型の一つの好ましい実施例として、その可動スリーブ８が限定位置までに移動した時、その第一シェード10はそのシェード7の外輪位置をカバーする。
【００１４】
本実用新型の一つの好ましい実施例として、その台座１の底部には滑り止めパッド121があり、その滑り止めパッド121の厚さは&#20026;1mm-2mm、その滑り止めパッド121とその台座1の間にのり付けで固定する、その滑り止めパッド121の下に滑り止め用の模様を付けている。
【００１５】
本実用新型の一つの好ましい実施例として、そのパレット９とその第一シェード10の間に第一ボルト（図面なし）を設置してある。
【００１６】
本実用新型の一つの好ましい実施例として、そのランプホルダー５はLEDホルダーである。
【００１７】
本実用新型の有益な効果は：本措置は実際の使用の過程には第一シェードを通して日常のこまごました物を収納できる、妊娠中の女性は授乳する時に、第一シェードを上昇して、シェードと第一シェードの重ね合うこと通して、ランプからの光を和らげることができ、光が幼児の目を直射するこを避け、望ましい保護効果が利く、バッテリを通して、緊急な場合はすぐ停電し、或いは無電源の状況で使用、楽プレーヤーで緩やかでゆっくりしている音楽をプレーして赤ちゃんを慰める。本措置の構造が簡単で、コストが低い、普及することに相応しい。
【００１８】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206167.tif 000003